(57)【要約】【課題】  輸送などの際に様々な製品を保護することができる緩衝材を提供することを課題とする。【解決手段】Ｕ形管体と、係合ブロックと、挿入管とを含んでなり、Ｕ形管体が外壁に形成された一以上の凹溝と、内壁の底面に設けられた一以上の弧状の凹溝、Ｖ型凹溝、長方形の凹溝、梯子状の凹溝、弧状の凸体、梯子状の凸体、階段状部、斜体とを含んでなり、外壁と内壁とがＵ型管体で連接され、挿入管がＸ型挿入管と多辺形挿入管と、Ｈ型挿入管とに分けられ、上述のＵ型管体内のＵ型溝の下方に挿入する１本以上の各種形態の挿入管と、両端に設ける各種形態の係合ブロックを設けて、接続空間を形成する。【選択図】  図２０
0003163659.tif 000002
【実用新案登録請求の範囲】
【請求項１】
Ｕ形管体と、係合ブロックと、挿入管とを含んでなり、
該Ｕ形管体が外壁に形成された一以上の凹溝と、内壁の底面に設けられた一以上の弧状の凹溝、Ｖ型凹溝、長方形の凹溝、梯子状の凹溝、弧状の凸体、梯子状の凸体、階段状部、斜体とを含んでなり、
外壁と内壁とがＵ型管体で連接され、挿入管がＸ型挿入管と多辺形挿入管と、Ｈ型挿入管とに分けられ、
上述のＵ型管体内のＵ型溝の下方に挿入する１本以上の各種形態の挿入管と、両端に設ける各種形態の係合ブロックを設けて、接続空間を形成することを特徴とする緩衝材。
【請求項２】
前記Ｕ型管体が内壁と外壁との間にＸ型挿入管、多辺形挿入管、Ｈ型挿入管を設けてなることを特徴とする請求項１に記載の緩衝材。
【請求項３】
前記係合ブロックが、正方向、或いは反対方向のどちらかからＵ型管体の両端に設けられ接続空間を形成し、Ｕ型管体の底面と外壁の底面との間には各種形態の挿入管が設けられることを特徴とする請求項１に記載の緩衝材。
【請求項４】
斜体を具えたＵ型管と、係合板とを含んでなり、外壁上に設けられた凹溝、内壁に形成された斜体を具えたＵ型溝とを含んでなり、Ｕ型溝の一端には係合板が設けられ、他端の外観が同じで係合板を設けてその左側に空間となり、係合板と、係合板との間には斜体接続空間が形成され、別の同じ包装用の緩衝材とが電子製品を支えることを特徴とする緩衝材。
【考案の詳細な説明】
【技術分野】
【０００１】
この考案は、緩衝材であって、特に配送の際などに製品を保護するために使用する緩衝材に関する。
【背景技術】
【０００２】
ノートブック型コンピュータ、パーソナルコンピュータ、太陽光パネルなどの電子及び電気機器製品はいずれも、輸送時に保護するため緩衝材を使用する。
【０００３】
しかしながら、環境保護材料を使用しない緩衝材を用いると、地球の自然を保護することができず、汚染することになる。
【０００４】
環境保護の目的を達成することができる緩衝材料は紙製を主としているが、硬さなどの面から限られた製品にしか使用することができない。
【考案の開示】
【考案が解決しようとする課題】
【０００５】
この考案は、輸送などの際に様々な製品を保護することができる緩衝材を提供することを課題とする。
【課題を解決するための手段】
【０００６】
そこで、本考案者は従来の技術に見られる欠点に鑑みて鋭意研究を重ねた結果、Ｕ形管体と、係合ブロックと、挿入管とを含んでなり、
該Ｕ形管体が外壁に形成された一以上の凹溝と、内壁の底面に設けられた一以上の弧状の凹溝、Ｖ型凹溝、長方形の凹溝、梯子状の凹溝、弧状の凸体、梯子状の凸体、階段状部、斜体とを含んでなり、
外壁と内壁とがＵ型管体で連接され、挿入管がＸ型挿入管と多辺形挿入管と、Ｈ型挿入管とに分けられ、
上述のＵ型管体内のＵ型溝の下方に挿入する１本以上の各種形態の挿入管と、両端に設ける各種形態の係合ブロックを設けて、接続空間を形成する構造からなる緩衝材によって課題を解決できる点に着眼し、かかる知見に基づいて本考案を完成させた。
【０００７】
以下、この考案について具体的に説明する。
請求項１に記載する緩衝材は、Ｕ形管体と、係合ブロックと、挿入管とを含んでなり、
該Ｕ形管体が外壁に形成された一以上の凹溝と、内壁の底面に設けられた一以上の弧状の凹溝、Ｖ型凹溝、長方形の凹溝、梯子状の凹溝、弧状の凸体、梯子状の凸体、階段状部、斜体とを含んでなり、
外壁と内壁とがＵ型管体で連接され、挿入管がＸ型挿入管と多辺形挿入管と、Ｈ型挿入管とに分けられ、
上述のＵ型管体内のＵ型溝の下方に挿入する１本以上の各種形態の挿入管と、両端に設ける各種形態の係合ブロックを設けて、接続空間を形成する。
【０００８】
請求項２に記載する緩衝材は、請求項１におけるＵ型管体が内壁と外壁との間にＸ型挿入管、多辺形挿入管、Ｈ型挿入管を設けてなる。
【０００９】
請求項３に記載する緩衝材は、請求項１における係合ブロックが、正方向、或いは反対方向のどちらかからＵ型管体の両端に設けられ接続空間を形成し、Ｕ型管体の底面と外壁の底面との間には各種形態の挿入管が設けられて形成する。
【００１０】
請求項４に記載する緩衝材は、請求項１における斜体を具えたＵ型管と、係合板とを含んでなり、外壁上に設けられた凹溝、内壁に形成された斜体を具えたＵ型溝とを含んでなり、Ｕ型溝の一端には係合板が設けられ、他端の外観が同じで係合板を設けてその左側に空間となり、係合板と、係合板との間には斜体接続空間が形成され、別の同じ包装用の緩衝材とが電子製品を支える。
【考案の効果】
【００１１】
この考案の緩衝材は、様々な製品に使用できて実用的であるという効果を有する。
【考案を実施するための形態】
【００１２】
この考案は、輸送などの際に様々な製品を保護することができる緩衝材であって、Ｕ形管体と、係合ブロックと、挿入管とを含んでなり、
該Ｕ形管体が外壁に形成された一以上の凹溝と、内壁の底面に設けられた一以上の弧状の凹溝、Ｖ型凹溝、長方形の凹溝、梯子状の凹溝、弧状の凸体、梯子状の凸体、階段状部、斜体とを含んでなり、
外壁と内壁とがＵ型管体で連接され、挿入管がＸ型挿入管と多辺形挿入管と、Ｈ型挿入管とに分けられ、
上述のＵ型管体内のＵ型溝の下方に挿入する１本以上の各種形態の挿入管と、両端に設ける各種形態の係合ブロックを設けて、接続空間を形成する緩衝材の構造と特徴を詳述するために具体的な実施例を挙げ、図示を参照にして以下に説明する。
【実施例】
【００１３】
図１から図１０は、この考案の緩衝材を示したものである。
【００１４】
図面によれば、この考案の緩衝材は、Ｕ型管体１’〜３２’か、Ｘ型挿入管ａ、ａ１、Ｈ型挿入管ｃ１〜ｃ１２、多辺形挿入管ｂ、ｂ１、係止ブロックＡ、Ｂ、Ｃ、Ｃ１、Ｄ、Ｅ、Ｅ１、Ｆ、Ｇ、Ｈなど多角形の挿入管を含んで形成される。
【００１５】
図１、３、６、８はＵ型管体１’〜３２’を示したものである。
【００１６】
図１（ａ）、（ｂ）、（ｃ）、（ｄ）は、Ｕ型管体１’、２’、３’、４’を示したものである。該Ｕ型管体１’は、四つの凹溝１１、１２が設けられた外壁１と、中央に弧型凹溝２１が設けられた内壁２とを含んでなる。
【００１７】
Ｕ型管体２’は、三つの凹溝３１、３２を設けた外壁３と、中央に弧型凹溝４１を設けた内壁４を含んでなる。
【００１８】
Ｕ型管体３’は、六つの凹溝５１、５２、５３を設けた外壁５と、中央に弧型の凹溝６１を設けた内壁６とを含んでなる。
【００１９】
Ｕ型管体４’は、五つの凹溝７１、７２、７３を設けた外壁７と、中央に弧型凹溝８１を設けた内壁８とを含んでなる。
【００２０】
図３（ａ）、（ｂ）、（ｃ）、（ｄ）は、Ｕ型管体５’、６’、７’、８’を示した説明図である。
【００２１】
Ｕ型管体５’は、に開示するように、四つの凹溝９１、９２を設けた外壁９と、中央にＶ型凹溝１０１を設けた内壁１０とを含んでなる。
【００２２】
Ｕ型管体６’は、三つの凹溝１１１、１１２を設けた外壁１１と、中央にＶ型凹溝１２１を設けた内壁１２を含んでなる。
【００２３】
Ｕ型管体７’は、六つの凹溝１３１、１３２、１３３を設けた外壁１３と、中央にＶ型凹溝１４１を設けた内壁１４とを含んでなる。
【００２４】
Ｕ型管体８’は、五つの凹溝１５１、１５２、１５３を設けてなる外壁１５と、中央にＶ型凹溝１６１を含んでなる内壁１６とを含んでなる。
【００２５】
図６（ａ）、（ｂ）、（ｃ）、（ｄ）は、Ｕ型管体９’、１０’、１１’、１２’を示した説明図である。
【００２６】
Ｕ型管体９’は、四つの凹溝１７１、１７２を設けた外壁１７と、中央に長方形の凹溝１８１を設けた内壁１８とを含んでなる。
【００２７】
Ｕ型管体１０’は、三つの凹溝１９１、１９２を設けてなる外壁１９と、中央に長方形の凹溝２０１を設けた内壁２０とを含んでなる。
【００２８】
Ｕ型管体１１’は、六つの凹溝２１１、２１２、２１３を設けてなる外壁２１と、中央に長方形の凹溝２２１を設けてなる内壁２２とを含んでなる。
【００２９】
Ｕ型管体１２’は、五つの凹溝２３１、２３２、２３３を設けてなる外壁２３と、中央に長方形の凹溝２４１を設けてなる内壁２４とを含んでなる。
【００３０】
図８（ａ）、（ｂ）、（ｃ）、（ｄ）は、Ｕ型管体１３’、１４’、１５’、１６’とを示した説明図である。
【００３１】
Ｕ型管体１３’は、四つの凹溝２５１、２５２を設けてなる外壁２５と、中央に梯子状の凹溝２６１を設けてなる内壁２６とを含んでなる。
【００３２】
Ｕ型管体１４’は、三つの凹溝２７１、２７２を設けてなる外壁２７と、中央に梯子状の凹溝２８１を設けてなる内壁２８とを含んでなる。
【００３３】
Ｕ型管体１５’は、六つの凹溝２９１、２９２、２９３を設けてなる外壁２９と、中央に梯子状の凹溝３０１を設けてなる内壁３０とを含んでなる。
【００３４】
Ｕ型管体１６’は、五つの凹溝３１１、３１２、３１３を設けてなる外壁３１と、中央に長方形の凹溝３２１を設けてなる内壁３２とを含んでなる。
【００３５】
図１１（ａ）、（ｂ）、（ｃ）、（ｄ）は、Ｕ型管体１７’、１８’、１９’、２０’とを示した説明図である。
【００３６】
Ｕ型管体１７’は、四つの凹溝３３１、３３２を設けてなる外壁３３と、中央に弧状凸体３４１を設けてなる内壁３４とを含んでなる。
【００３７】
Ｕ型管体１８’は、三つの凹溝３５１、３５２を設けてなる外壁３５と、中央に弧状凸体３６１を設けてなる内壁３６とを含んでなる。
【００３８】
Ｕ型管体１９’は、六つの凹溝３７１、３７２を設けてなる外壁３７と、中央に弧状凸体３８１を設けてなる内壁３８とを含んでなる。
【００３９】
Ｕ型管体２０’は、五つの凹溝３９１、３９２、３９３を設けてなる外壁３９と、中央に長方形の凹溝４０１を設けてなる内壁４０とを含んでなる。
【００４０】
図１３（ａ）、（ｂ）、（ｃ）、（ｄ）は、Ｕ型管体２１’、２２’、２３’、２４’とを示した説明図である。
【００４１】
Ｕ型管体２１’は、四つの凹溝４１１、４１２、４１３を設けてなる外壁４１と、中央に梯子状の凸体４２１を設けてなる内壁４２とを含んでなる。
【００４２】
Ｕ型管体２２’は、三つの凹溝４３１、４３２を設けてなる外壁４３と、中央に梯子状の凸体４４１を設けてなる内壁４４とを含んでなる。
【００４３】
Ｕ型管体２３’は、六つの凹溝４５１、４５２、４５３を設けてなる外壁４５と、中央に梯子状の凸体４６１を設けてなる内壁４６とを含んでなる。
【００４４】
Ｕ型管体２４’は、五つの凹溝４７１、４７２、４７３を設けてなる外壁４７と、中央に梯子状の凸体４８１を設けてなる内壁４８とを含んでなる。
【００４５】
図１５（ａ）、（ｂ）、（ｃ）、（ｄ）は、Ｕ型管体２５’、２６’、２７’、２８’とを示した説明図である。
【００４６】
Ｕ型管体２５’は、四つの凹溝４９１、４９２を設けてなる外壁４９と、中央に階段状部５０１を設けてなる内壁５０とを含んでなる。
【００４７】
Ｕ型管体２６’は、三つの凹溝５１１、５１２を設けてなる外壁５１と、中央に階段状部５２１を設けてなる内壁５２とを含んでなる。
【００４８】
Ｕ型管体２７’は、六つの凹溝５３１、５３２、５３３を設けてなる外壁５３と、中央に階段状部５４１を設けてなる内壁５４とを含んでなる。
【００４９】
Ｕ型管体２８’は、五つの凹溝５５１、５５２、５５３を設けてなる外壁５５と、中央に階段状部５６１を設けてなる内壁５６とを含んでなる。
【００５０】
図１７（ａ）、（ｂ）、（ｃ）、（ｄ）は、Ｕ型管体２９’、３０’、３１’、３２’とを示した説明図である。
【００５１】
Ｕ型管体２９’は、四つの凹溝５７１、５７２を設けてなる外壁５７と、中央に斜度を具えた斜体５８１を設けてなる内壁５８とを含んでなる。
【００５２】
Ｕ型管体３０’は、三つの凹溝５９１、５９２を設けてなる外壁５９と、中央に斜度を具えた斜体６０１を設けてなる内壁６０とを含んでなる。
【００５３】
Ｕ型管体３１’は、六つの凹溝６１１、６１２、６１３を設けてなる外壁６１と、中央に階段状部６２１を設けてなる内壁６２とを含んでなる。
【００５４】
Ｕ型管体３２’は、五つの凹溝６３１、６３２、６３３を設けてなる外壁６３と、中央に階段状部６４１を設けてなる内壁６４とを含んでなる。
【００５５】
図５（ａ）、（ｂ）、（ｃ）、（ｄ）は、Ｈ型挿入管ｃ１、ｃ２、ｃ３、ｃ４とを示した説明図である。
【００５６】
Ｈ型挿入管ｃ１は、上方に形成された凹溝ｃ１１と、中央に設けられた弧状凹溝ｃ１２と、下方に設けられた弧状凹溝ｃ１３、ｃ１４とを含んでなる。
【００５７】
Ｈ型挿入管ｃ２は、上方に形成された凹溝ｃ２１と、中央に設けられた弧状凹溝ｃ２２と、下方に設けられた弧状凹溝ｃ２３とを含んでなる。
【００５８】
Ｈ型挿入管ｃ３は、上方に形成された凹溝ｃ３１と、中央に設けられた弧状凹溝ｃ３２と、下方に設けられた弧状凹溝ｃ３３、ｃ３４とを含んでなる。
【００５９】
Ｈ型挿入管ｃ４は、上方に形成された凹溝ｃ４１と、中央に設けられた弧状凹溝ｃ４２と、下方に設けられた弧状凹溝ｃ４３とを含んでなる。
【００６０】
図１０（ａ）、（ｂ）、（ｃ）、（ｄ）、（ｅ）に開示するように、Ｘ型挿入管ａ１は両者の形状が同じで、Ｘ型挿入管ａ１は、Ｘ型を呈し、凸体ａ１１、ａ１２、ａ１３、ａ１４と、中空体ａ１５と一体に形成される。
【００６１】
Ｈ型挿入管ｃ５は、上方に形成された凹溝ｃ５１と、中央に形成された長方形凹溝ｃ５２と、下方に形成された弧状凹溝ｃ５３、ｃ５４とを含んでなる。
【００６２】
Ｈ型挿入管ｃ６は、上方に形成された凹溝ｃ６１と、中央に形成された長方形凹溝ｃ６２と、下方に形成された弧状凹溝ｃ６３とを含んでなる。
【００６３】
Ｈ型挿入管ｃ７は、上方に形成された凹溝ｃ７１と、中央に形成された長方形凹溝ｃ７２と、下方に形成された弧状凹溝ｃ７３、ｃ７４とを含んでなる。
【００６４】
Ｈ型挿入管ｃ８は、上方に形成された凹溝ｃ８１と、中央に形成された長方形凹溝ｃ８２と、下方に形成された弧状凹溝ｃ８３とを含んでなる。
【００６５】
図１９（ａ）、（ｂ）、（ｃ）、（ｄ）、（ｅ）、（ｆ）に開示するように、多辺形挿入管ｂ１、ｂ１’は両者の形状が同じで、多辺形挿入管ｂ１は、多辺体を呈し、全体に形成された凸体ｂ１１、ｂ１２、ｂ１３、ｂ１４と、弧状凹溝ｂ１５、ｂ１６と、嵌合溝ｂ１７と、歯型面ｂ１８と一体に形成される。
【００６６】
多辺形挿入管ｂは、多辺体を呈し、全体に形成された凸体ｂ１、ｂ２、ｂ３、ｂ４と、弧状凹溝ｂ５、ｂ６と、嵌合溝ｂ７と、歯型面ｂ８とを一体に形成される。
【００６７】
Ｈ型挿入管ｃ９は、上方に形成された凹溝ｃ９１と、下方に形成された弧状凹溝ｃ９２、ｃ９３とを含んでなる。
【００６８】
Ｈ型挿入管ｃ１０は、上方に形成された凹溝ｃ１０１と、下方に形成された弧状凹溝ｃ１０２とを含んでなる。
【００６９】
Ｈ型挿入管ｃ１１は、上方に形成された凹溝ｃ１１１と、下方に形成された弧状凹溝ｃ１１２、ｃ１１３とを含んでなる。
【００７０】
Ｈ型挿入管ｃ１２は、上方に形成された凹溝ｃ１２１と、下方に形成された凹溝ｃ１２２とを含んでなる。
【００７１】
図２０は、様々な係合ブロックＡ、Ｂ、Ｃ、Ｃ１、Ｄ、Ｅ、Ｅ１、Ｆ、Ｇ、Ｈを示したものである。
【００７２】
係合ブロックＡは、上方が長方形体Ａ１に形成され、一側面に設けられた孔Ａ１１と、もう一方の面に形成された中空体Ａ１２と、下方に粘着して設けられた長方形体Ａ１３とを組み合わせてなる。
【００７３】
係合ブロックＢ、Ｃは、Ｕ型を呈する。係合ブロックＣ１は、Ｕ型体Ｃ１１と、凹溝Ｃ１２内に粘設された長方形体Ｃ１３とを含んでなる。
【００７４】
係合ブロックＤは、上方のＵ型体Ｄ’１と、Ｕ型体Ｄ’１の下方に粘設された方形体Ｄ’２とを組み合わせてなる。
【００７５】
係合ブロックＥ１は、Ｕ型体Ｅ１１と、凹溝Ｅ１２と、Ｕ型体Ｅ１１の下方に粘設した長方形体Ｅ１３とを組み合わせてなる。
【００７６】
係合ブロックＥは、Ｕ型体で、一側面に設けられた厚面Ｅ１と、もう一方に設けられた薄面Ｅ２とを含んでなる。
【００７７】
係合ブロックＦは、長方形体を呈し、一側面に形成された中空体Ｆ１を具えてなる。
【００７８】
係合ブロックＧは、上方の長方形の中空体Ｇ１と、中空体Ｇ１の下方に粘設された長方形体Ｇ２とを組み合わせてなる。
【００７９】
係合ブロックＨは、長方形体を呈し、一側面に設けられた孔Ｈ１と、もう一方に設けられた中空体Ｈ２とを含んでなる。
【００８０】
図１（ａ’）、（ｂ’）、（ｃ’）、（ｄ’）に開示するように、二本のＸ型挿入管ａはＵ型管体１’、２’、３’、４’内のＵ型溝の下方と、外壁１、３、５、７と内壁２、４、６、８との間に挿設する。
【００８１】
図２（ａ）、（ｂ）、（ｃ）、（ｄ）に開示するように、多辺形挿入管ｂ、ｂ’と、ｂ１、ｂ１’は、Ｕ型管体１’、２’、３’、４’内のＵ型溝の両側端に挿入し、外壁１、３、５、７と、内壁２、４、６、８との間に挿設する。
【００８２】
図２（ａ’）、（ｂ’）、（ｃ’）、（ｄ’）に開示するように、Ｈ型挿入管ｃ１、ｃ２、ｃ３、ｃ４は、Ｕ型管体１’、２’、３’、４’内のＵ型溝の下方に挿入し、外壁１、３、５、７と、内壁２、４、６、８との間に挿設する。
【００８３】
図３（ａ’）、（ｂ’）、（ｃ’）、（ｄ’）に開示するように、２本のＸ型挿入管ａは、Ｕ型管体５’、６’、７’、８’内のＵ型溝の下方と、外壁９、１１、１３、１５と、内壁１０、１２、１４、１６との間に挿設する。
【００８４】
図４（ａ）、（ｂ）、（ｃ）、（ｄ）に開示するように、２本の多辺形挿入管ｂ、ｂ’は、Ｕ型管体５’、６’に挿設する。
【００８５】
２本の多辺形挿入管ｂ１、ｂ１’はＵ型体７’、８’内の両端縁部に挿設し、外壁９、１１、１３、１５と、内壁１０、１２、１４、１６との間に挿設される。
【００８６】
図４（ａ’）、（ｂ’）、（ｃ’）、（ｄ’）に開示するように、Ｈ型挿入管ｃ１、ｃ２、ｃ３、ｃ４は、Ｕ型管体５’、６’、７’、８’内のＵ型溝の下方と、外壁９、１１、１３、１５と、内壁１０、１２、１４、１６との間に挿設する。
【００８７】
図６（ａ’）、（ｂ’）、（ｃ’）、（ｄ’）に開示するように、２本のＸ型挿入管ａ、ａ１は、Ｕ型管体９’、１０’、１１’、１２’内のＵ型溝の下方と、外壁１７、１９、２１、２３と、内壁１８、２０、２２、２４との間に挿設する。
【００８８】
図７（ａ）、（ｂ）、（ｃ）、（ｄ）に開示するように、２本の多辺形挿入管ｂ、ｂ’はＵ型管体９’、１０’に挿設する。
【００８９】
２本の多辺形挿入管ｂ１、ｂ１’はＵ型管体１１’、１２’内のＵ型溝の両側に挿設し、外壁１７、１９、２１、２３と内壁１８、２０、２４との間に挿設する。
【００９０】
図７（ａ’）、（ｂ’）、（ｃ’）、（ｄ’）に開示するように、Ｈ型挿入管ｃ５、ｃ６、ｃ７、ｃ８はＵ型管体９’、１０’、１１’、１２’内のＵ型溝の下方に挿設する。
【００９１】
また、外壁１７、１９、２１、２３と、内壁１８、２０、２２、２４の間に挿設する。
【００９２】
図８（ａ’）、（ｂ’）、（ｃ’）、（ｄ’）に開示するように、２本のＸ型挿入管ａ、ａ１は、Ｕ型管体１３’、１４’、１５’、１６’内のＵ型溝の下方と、外壁２５、２７、２９、３１と内壁２６、２８、３０、３２との間に挿設する。
【００９３】
図９（ａ）、（ｂ）、（ｃ）、（ｄ）に開示するように、２本の多辺形挿入管ｂ、ｂ’はＵ型管体１３’、１４’に挿設する。
【００９４】
２本の多辺形挿入管ｂ１、ｂ１’はＵ型管体１５’、１６’内のＵ型溝の両側に挿設し、外壁２５、２７、２９、３１と内壁２６、２８、３０、３２との間に挿設する。
【００９５】
図９（ａ’）、（ｂ’）、（ｃ’）、（ｄ’）に開示するように、Ｈ型挿入管ｃ５、ｃ６、ｃ７、ｃ８は、Ｕ型管体１３’、１４’、１５’、１６’内のＵ型溝の下方と、外壁２５、２７、２９、３１と内壁２６、２８、３０、３２との間に挿設する。
【００９６】
図１１（ａ’）、（ｂ’）、（ｃ’）、（ｄ’）に開示するように、２本のＸ型挿入管ａは、Ｕ型管体１７’、１８’、１９’、２０’内のＵ型溝の下方と、外壁３３、３５、３７、３９と内壁３４、３６、３８、４０との間に挿設する。
【００９７】
図１２（ａ）、（ｂ）、（ｃ）、（ｄ）に開示するように、２本の多辺形挿入管ｂ、ｂ’はＵ型管体１７’、１８’に挿設する。
【００９８】
２本の多辺形挿入管ｂ１、ｂ１’はＵ型管体１９’、２０’内のＵ型溝の両側に挿設し、外壁３３、３５、３７、３９と内壁３４、３６、３８、４０との間に挿設する。
【００９９】
図１２（ａ’）、（ｂ’）、（ｃ’）、（ｄ’）に開示するように、Ｈ型挿入管ｃ９、ｃ１０、ｃ１１、ｃ１２は、Ｕ型管体１７’、１８’、１９’、２０’内のＵ型溝の下方と、外壁３３、３５、３７、３９と内壁３４、３６、３８、４０との間に挿設する。
【０１００】
図１３（ａ’）、（ｂ’）、（ｃ’）、（ｄ’）に開示するように、２本のＸ型挿入管ａは、Ｕ型管体２１’、２２’、２３’、２４’内のＵ型溝の下方と、外壁４１、４３、４５、４７と内壁４２、４４、４６、４８との間に挿設する。
【０１０１】
図１４（ａ）、（ｂ）、（ｃ）、（ｄ）に開示するように、２本の多辺形挿入管ｂ、ｂ’はＵ型管体２１’、２２’に挿設する。
【０１０２】
２本の多辺形挿入管ｂ１、ｂ１’はＵ型管体２３’、２４’内のＵ型溝の両側に挿設し、外壁４１、４３、４５、４７と内壁４２、４４、４６、４８との間に挿設する。
【０１０３】
図１４（ａ’）、（ｂ’）、（ｃ’）、（ｄ’）に開示するように、Ｈ型挿入管ｃ９、ｃ１０、ｃ１１、ｃ１２は、Ｕ型管体２１’、２２’、２３’、２４’内のＵ型溝の下方と、外壁４１、４３、４５、４７と内壁４２、４４、４６、４８との間に挿設する。
【０１０４】
図１５（ａ’）、（ｂ’）、（ｃ’）、（ｄ’）に開示するように、１本のＸ型挿入管ａは、Ｕ型管体２５’、２６’、２７’、２８’内のＵ型溝の下方と、外壁４９、５１、５３、５５と内壁５０、５２、５４、５６との間に挿設する。
【０１０５】
図１６（ａ）、（ｂ）、（ｃ）、（ｄ）に開示するように、１本の多辺形挿入管ｂはＵ型管体２５’、２６’に挿設する。
【０１０６】
１本の多辺形挿入管ｂ’はＵ型管体２７’、２８’内のＵ型溝の両側に挿設し、外壁４９、５１、５３、５５と内壁５０、５２、５４、５６との間に挿設する。
【０１０７】
図１６（ａ’）、（ｂ’）、（ｃ’）、（ｄ’）に開示するように、Ｈ型挿入管ｃ９、ｃ１０、ｃ１１、ｃ１２は、Ｕ型管体２５’、２６’、２７’、２８’内のＵ型溝の下方と、外壁４９、５１、５３、５５と内壁５０、５２、５４、５６との間に挿設する。
【０１０８】
図１７（ａ’）、（ｂ’）、（ｃ’）、（ｄ’）に開示するように、１本のＸ型挿入管ａは、Ｕ型管体２９’、３０’、３１’、３２’内のＵ型溝の下方と、外壁５７、５９、６１、６３と内壁５８、６０、６２、６４との間に挿設する。
【０１０９】
図１８（ａ）、（ｂ）、（ｃ）、（ｄ）に開示するように、１本の多辺形挿入管ｂはＵ型管体２９’、３０’に挿設する。
【０１１０】
１本の多辺形挿入管ｂ’はＵ型管体３１’、３２’内のＵ型溝の両側に挿設し、外壁５７、５９、６１、６３と内壁５８、６０、６２、６４との間に挿設する。
【０１１１】
図１８（ａ’）、（ｂ’）、（ｃ’）、（ｄ’）に開示するように、Ｈ型挿入管ｃ９、ｃ１０、ｃ１１、ｃ１２は、Ｕ型管体２９’、３０’、３１’、３２’内のＵ型溝の下方と、外壁５７、５９、６１、６３と内壁５８、６０、６２、６４との間に挿設する。
【０１１２】
図２０に開示するように、Ｕ型管体７’、多辺形挿入管ｂ、ｂ’、各種形状の係合ブロックＡ、Ｂ、Ｃ、Ｃ１、Ｄ、Ｅ、Ｆ、Ｆ１、Ｇ、Ｈは互いに設置方向Ｄ１、Ｌ１、Ｌ２に順序に従ってＵ型管体７’のＵ型溝の両側の端縁部に図２２、２３、２４、２５のように組み合わせる。
【０１１３】
また、設置方向Ｌ３、Ｌ４に順序に従ってＵ型管体７’に設けると、Ｕ型溝の両側が図２６、２７、２８、２９のように組み合わせられる。
【０１１４】
図２１に開示するように、設置方向Ｌ５、Ｌ６で順序に従ってＵ型管体７’のＵ型溝の両側に設け、設置方向Ｌ７、Ｌ８で順序に従ってＵ型管体７’のＵ型溝の両側に設ける。
【０１１５】
図３０に開示するように、Ｕ型管体３’、２本のＸ型挿入管ａ、各種係合ブロックＡ、Ｂ、Ｃ、Ｃ１、Ｄ、Ｅ、Ｆ、Ｆ１、Ｇ、Ｈは互いに設置方向Ｄ２、Ｌ９、Ｌ１０に順序に従ってＵ型管体３’内に図２２、２３、２４、２５のように組み合わせられる。
【０１１６】
また、設置方向Ｌ１１、Ｌ１２がＵ型管体３’に順序に従って図３６、３７、３８、３９のように組み合わせられる。
【０１１７】
図３１に開示するように、設置方向Ｌ１３、Ｌ１４の順にＵ型管体３’内に設けて緩衝体を形成する、設置方向Ｌ１５、Ｌ１６の順にＵ型管体３’内に設けて緩衝体を形成する。
【０１１８】
図４０に開示するように、Ｕ型管体１９’、Ｈ型挿入管ｃ１１、各種係合ブロックＡ、Ｂ、Ｃ、Ｄ、Ｅ、Ｅ１、Ｆ、Ｇ、Ｈは互いに設置方向Ｄ３、Ｌ１７、Ｌ１８に順にＵ型管体１９’内へ図４２、４３、４４、４５に開示するように組み合わせる。
【０１１９】
また、設置方向Ｌ１９、Ｌ２０は順にＵ型管体１９’に図４６、４７、４８、４９のように組み合わせる。
【０１２０】
図４１に開示するように、設置方向Ｌ２１、Ｌ２２に順にＵ型管体１９’内に設けて緩衝体を形成する。
【０１２１】
設置方向Ｌ２３、Ｌ２４に順にＵ型管体１９’内に設けて緩衝体を形成する。
【０１２２】
図５０に開示するように、Ｕ型管体１４’、多辺形挿入管ｂ、ｂ’、各種係合ブロックＡ、Ｂ、Ｃ、Ｄ、Ｅ、Ｅ１、Ｆ、Ｇ、Ｈは互いに設置方向Ｄ４、Ｌ２５、Ｌ２６に順にＵ型管体１４’内へ図５２、５３、５４、５５に開示するように組み合わせる。
【０１２３】
また、設置方向Ｌ２７、Ｌ２８は順にＵ型管体１４’に図５６、５７、５８、５９のように組み合わせる。
【０１２４】
図５１に開示するように、設置方向Ｌ２９、Ｌ３０に順にＵ型管体１４’内に設けて緩衝体を形成する。
【０１２５】
設置方向Ｌ３１、Ｌ３２に順に設けてＵ型管体１４’内に緩衝体を形成する。
【０１２６】
図６０に開示するようにＵ型管体１１’、 Ｈ型挿入管ｃ７、各種係合ブロックＡ、Ｂ、Ｃ、Ｄ、Ｅ、Ｅ１、Ｆ、Ｇ、Ｈは互いに設置方向Ｄ５、Ｌ３３、Ｌ３４に順にＵ型管体１１’内へ図６２、６３、６４、６５に開示するように組み合わせる。
【０１２７】
設置方向Ｌ３５、Ｌ３６に順にＵ型管体１１’に設けて図６６、６７、６８、６９に開示するように組み合わせる。
【０１２８】
図６１に開示するように、設置方向Ｌ３７、L３８に順に設けてＵ型管体１１’内に緩衝体を形成する。
【０１２９】
設置方向Ｌ３９、Ｌ４０に順に設けてＵ型管体１１’内に緩衝体を形成する。
【０１３０】
図７０に開示するように、Ｕ型管体２１’ 、Ｈ型挿入管ｃ９、各種係合ブロックＡ、Ｂ、Ｃ、Ｄ、Ｅ、Ｅ１、Ｆ、Ｇ、Ｈは互いに設置方向Ｄ６、Ｌ４１、Ｌ４２に順にＵ型管体２１’内へ図７２、７３、７４、７５に開示するように組み合わせる。
【０１３１】
また、設置方向Ｌ４３、Ｌ４４に順にＵ型管体２１’に設けて図７６、７７、７８、７９に開示するように組み合わせる。
【０１３２】
図７１に開示するように、設置方向Ｄ６、L４５、Ｌ４６に順に設けてＵ型管体２１’内に緩衝体を形成する。
【０１３３】
設置方向Ｌ４７、Ｌ４８に順に設けてＵ型管体２１’内に緩衝体を形成する。
【０１３４】
図１８（ｄ’）及び図８０に開示するように、Ｕ型管体３２’の外壁６３と内壁６４の間にはＨ型挿入管ｃ１２が挿設して接続される。
【０１３５】
図１８（ｃ）及び図８１に開示するように、Ｕ型管体３１’の外壁６１と、内壁６２との間に多辺形挿入管ｂ’を挿設して接続する。
【０１３６】
図１７（ａ’）及び図８２に開示するように、Ｕ型管体２９’の外壁５７と、内壁５８との間にＸ型挿入管ａを挿設して接続する。
【０１３７】
図１６（ａ’）及び図８３に開示するように、Ｕ型管体２５’の外壁４９、内壁５０との間にＨ型挿入管ｃ９を挿設して接続する。
【０１３８】
図１６（ｃ）及び図８４に開示するように、Ｕ型管体２７’の外壁５３と、内壁５４との間に多辺形挿入管ｂ’を挿設して接続する。
【０１３９】
図１６（ｄ’）及び図８５に開示するように、Ｕ型管体２８’の外壁５５と、内壁５６との間にＸ型挿入管ａを挿設して接続する。
【０１４０】
図８６〜９２に開示するように、包装用緩衝材の構造体ｄは、外壁ｄ１上に設けてなる凹溝ｄ１１、ｄ１２、ｄ１３と、内壁ｄ２に形成されたＵ型溝と、を含んでなる。  
【０１４１】
Ｕ型溝内には図８６（ａ）に開示するように、係合板ｅを設ける。他端の外観は同じで、係合板ｆを設けた後の左側が図８６（ｂ）に開示するように空間ｆ１となる。
【０１４２】
係合板ｅと係合板ｆとの間には斜体接続空間ｇを形成し、他の包装用緩衝材と電子製品を支えるために便利である。２
【０１４３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【０１４４】
【図１】(ａ)、（ｂ）、（ｃ）、（ｄ）は、この考案の緩衝材のＵ型管体を示した断面図であり、（ａ’）、（ｂ’）、（ｃ’）、（ｄ’）は、この考案の緩衝材のＵ型管体をＸ型挿入管に挿設した状態を示した断面図である。
【図２】(ａ)、（ｂ）、（ｃ）、（ｄ）は、この考案の緩衝材のＵ型管体を多辺形挿入管に挿設した状態を示した断面図であり、（ａ’）、（ｂ’）、（ｃ’）、（ｄ’）は、この考案の緩衝材のＵ型管体をＨ型挿入管に挿設した状態を示した断面図である。
【図３】(ａ)、（ｂ）、（ｃ）、（ｄ）は、この考案の緩衝材のＵ型管体を示した断面図であり、（ａ’）、（ｂ’）、（ｃ’）、（ｄ’）は、この考案の緩衝材のＵ型管体をＸ型挿入管に挿設した状態を示した断面図である。
【図４】(ａ)、（ｂ）、（ｃ）、（ｄ）は、この考案の緩衝材のＵ型管体を多辺形挿入管に挿設した状態を示した断面図であり、（ａ’）、（ｂ’）、（ｃ’）、（ｄ’）はこの考案の緩衝材のＵ型管体をＨ型挿入管に挿設した状態を示した断面図である。
【図５】(ａ)、（ｂ）、（ｃ）、（ｄ）は、この考案の緩衝材のＨ型挿入管を示した断面図である。
【図６】(ａ)、（ｂ）、（ｃ）、（ｄ）は、 この考案の緩衝材のＵ型管体を示した断面図であり、（ａ’）、（ｂ’）、（ｃ’）、（ｄ’）は、この考案の緩衝材のＵ型管体をＸ型挿入管に挿設した状態を示した断面図である。
【図７】(ａ)、（ｂ）、（ｃ）、（ｄ）は、この考案の緩衝材のＵ型管体を多辺形挿入管に挿設した状態を示した断面図であり、（ａ’）、（ｂ’）、（ｃ’）、（ｄ’）は、この考案の緩衝材のＵ型管体をＨ型挿入管に挿設した状態を示した断面図である。
【図８】(ａ)、（ｂ）、（ｃ）、（ｄ）は、この考案の緩衝材のＵ型管体を示した断面図であり、（ａ’）、（ｂ’）、（ｃ’）、（ｄ’）は、この考案の緩衝材のＵ型管体をＸ型挿入管に挿設した状態を示した断面図である。
【図９】(ａ)、（ｂ）、（ｃ）、（ｄ）は、この考案の緩衝材のＵ型管体を多辺形挿入管に挿設した状態を示した断面図であり、（ａ’）、（ｂ’）、（ｃ’）、（ｄ’）は、この考案の緩衝材のＵ型管体をＨ型挿入管に挿設した状態を示した断面図である。
【図１０】（ａ）は、この考案の緩衝材のＸ型挿入管を示した断面図であり、（ｂ）、（ｃ）、（ｄ）、（ｅ）は、この考案の緩衝材のＨ型挿入管を示した断面図である。
【図１１】(ａ)、（ｂ）、（ｃ）、（ｄ）は、この考案の緩衝材のＵ型管体を示した断面図であり、（ａ’）、（ｂ’）、（ｃ’）、（ｄ’）は、この考案の緩衝材のＵ型管体をＸ型挿入管に挿設した状態を示した断面図である。
【図１２】(ａ)、（ｂ）、（ｃ）、（ｄ）は、この考案の緩衝材のＵ型管体を多辺形挿入管に挿設した状態を示した断面図であり、（ａ’）、（ｂ’）、（ｃ’）、（ｄ’）は、この考案の緩衝材のＵ型管体をＨ型挿入管に挿設した状態を示した断面図である。
【図１３】(ａ)、（ｂ）、（ｃ）、（ｄ）は、この考案の緩衝材のＵ型管体を示した断面図であり、（ａ’）、（ｂ’）、（ｃ’）、（ｄ’）は、この考案の緩衝材のＵ型管体をＸ型挿入管に挿設した状態を示した断面図である。
【図１４】(ａ)、（ｂ）、（ｃ）、（ｄ）は、この考案の緩衝材のＵ型管体を多辺形挿入管に挿設した状態を示した断面図であり、（ａ’）、（ｂ’）、（ｃ’）、（ｄ’）は、この考案の緩衝材のＵ型管体をＨ型挿入管に挿設した状態を示した断面図である。
【図１５】(ａ)、（ｂ）、（ｃ）、（ｄ）は、この考案の緩衝材のＵ型管体を示した断面図であり、（ａ’）、（ｂ’）、（ｃ’）、（ｄ’）は、この考案の緩衝材のＵ型管体をＸ型挿入管に挿設した状態を示した断面図である。
【図１６】(ａ)、（ｂ）、（ｃ）、（ｄ）は、この考案の緩衝材のＵ型管体を多辺形挿入管に挿設した状態を示した断面図であり、（ａ’）、（ｂ’）、（ｃ’）、（ｄ’）は、この考案の緩衝材のＵ型管体をＨ型挿入管に挿設した状態を示した断面図である。
【図１７】(ａ)、（ｂ）、（ｃ）、（ｄ）は、この考案の緩衝材のＵ型管体を示した断面図であり、（ａ’）、（ｂ’）、（ｃ’）、（ｄ’）は、この考案の緩衝材のＵ型管体をＸ型挿入管に挿設した状態を示した断面図である。
【図１８】(ａ)、（ｂ）、（ｃ）、（ｄ）は、この考案の緩衝材のＵ型管体を多辺形挿入管に挿設した状態を示した断面図であり、（ａ’）、（ｂ’）、（ｃ’）、（ｄ’）は、この考案の緩衝材のＵ型管体をＨ型挿入管に挿設した状態を示した断面図である。
【図１９】（ａ）この考案の緩衝材の多辺形挿入管を示した断面図であり、（ｂ）は、 この考案の緩衝材の多辺形挿入管を示した断面図であり、（ｃ）、（ｄ）、（ｅ）、（ｄ）は、この考案の緩衝材のＨ型挿入管を示した断面図である。
【図２０】この考案の緩衝材の係合ブロックをそれぞれ設置方向からＵ型管体に設けて多辺形挿入管を設置方向から設けて互いに接続する状態を示した説明図である。
【図２１】この考案の緩衝材の係合ブロックをそれぞれ設置方向からＵ型管体に設けて多辺形挿入管を設置方向から設けて互いに接続する状態を示した説明図である。
【図２２】この考案の係合ブロック、Ｕ型管体、多辺形挿入管とを互いに組み合わせた状態を示した斜視図である。
【図２３】この考案の係合ブロック、Ｕ型管体、多辺形挿入管とを互いに組み合わせた状態を示した斜視図である。
【図２４】この考案の係合ブロック、Ｕ型管体、多辺形挿入管とを互いに組み合わせた状態を示した斜視図である。
【図２５】この考案の係合ブロック、Ｕ型管体、多辺形挿入管とを互いに組み合わせた状態を示した斜視図である。
【図２６】この考案の係合ブロック、Ｕ型管体、多辺形挿入管とを互いに組み合わせた状態を示した斜視図である。
【図２７】この考案の係合ブロック、Ｕ型管体、多辺形挿入管とを互いに組み合わせた状態を示した斜視図である。
【図２８】この考案の係合ブロック、Ｕ型管体、多辺形挿入管とを互いに組み合わせた状態を示した斜視図である。
【図２９】この考案の係合ブロック、Ｕ型管体、多辺形挿入管とを互いに組み合わせた状態を示した斜視図である。
【図３０】この考案の緩衝材の係合ブロックをそれぞれ設置方向からＵ型管体に設けてＸ型挿入管を設置方向から設けて互いに接続する状態を示した説明図である。
【図３１】この考案の緩衝材の係合ブロックをそれぞれ設置方向からＵ型管体に設けてＸ型挿入管を設置方向から設けて互いに接続する状態を示した説明図である。
【図３２】この考案の係合ブロック、Ｕ型管体、Ｘ型挿入管とを互いに組み合わせた状態を示した斜視図である。
【図３３】この考案の係合ブロック、Ｕ型管体、Ｘ型挿入管とを互いに組み合わせた状態を示した斜視図である。
【図３４】この考案の係合ブロック、Ｕ型管体、Ｘ型挿入管とを互いに組み合わせた状態を示した斜視図である。
【図３５】この考案の係合ブロック、Ｕ型管体、Ｘ型挿入管とを互いに組み合わせた状態を示した斜視図である。
【図３６】この考案の係合ブロック、Ｕ型管体、Ｘ型挿入管とを互いに組み合わせた状態を示した斜視図である。
【図３７】この考案の係合ブロック、Ｕ型管体、Ｘ型挿入管とを互いに組み合わせた状態を示した斜視図である。
【図３８】この考案の係合ブロック、Ｕ型管体、Ｘ型挿入管とを互いに組み合わせた状態を示した斜視図である。
【図３９】この考案の係合ブロック、Ｕ型管体、Ｘ型挿入管とを互いに組み合わせた状態を示した斜視図である。
【図４０】この考案の緩衝材の係合ブロックをそれぞれ設置方向からＵ型管体に設けてＨ型挿入管を設置方向から設けて互いに接続する状態を示した説明図である。
【図４１】この考案の緩衝材の係合ブロックをそれぞれ設置方向からＵ型管体に設けてＨ型挿入管を設置方向から設けて互いに接続する状態を示した説明図である。
【図４２】この考案の係合ブロック、Ｕ型管体、Ｈ型挿入管とを互いに組み合わせた状態を示した斜視図である。
【図４３】この考案の係合ブロック、Ｕ型管体、Ｈ型挿入管とを互いに組み合わせた状態を示した斜視図である。
【図４４】この考案の係合ブロック、Ｕ型管体、Ｈ型挿入管とを互いに組み合わせた状態を示した斜視図である。
【図４５】この考案の係合ブロック、Ｕ型管体、Ｈ型挿入管とを互いに組み合わせた状態を示した斜視図である。
【図４６】この考案の係合ブロック、Ｕ型管体、Ｈ型挿入管とを互いに組み合わせた状態を示した斜視図である。
【図４７】この考案の係合ブロック、Ｕ型管体、Ｈ型挿入管とを互いに組み合わせた状態を示した斜視図である。
【図４８】この考案の係合ブロック、Ｕ型管体、Ｈ型挿入管とを互いに組み合わせた状態を示した斜視図である。
【図４９】この考案の係合ブロック、Ｕ型管体、Ｈ型挿入管とを互いに組み合わせた状態を示した斜視図である。
【図５０】この考案の緩衝材の係合ブロックをそれぞれ設置方向からＵ型管体に設けて多辺形挿入管を設置方向から設けて互いに接続する状態を示した説明図である。
【図５１】この考案の緩衝材の係合ブロックをそれぞれ設置方向からＵ型管体に設けて多辺形挿入管を設置方向から設けて互いに接続する状態を示した説明図である。
【図５２】この考案の係合ブロック、Ｕ型管体、多辺形挿入管とを互いに組み合わせた状態を示した斜視図である。
【図５３】この考案の係合ブロック、Ｕ型管体、多辺形挿入管とを互いに組み合わせた状態を示した斜視図である。
【図５４】この考案の係合ブロック、Ｕ型管体、多辺形挿入管とを互いに組み合わせた状態を示した斜視図である。
【図５５】この考案の係合ブロック、Ｕ型管体、多辺形挿入管とを互いに組み合わせた状態を示した斜視図である。
【図５６】この考案の係合ブロック、Ｕ型管体、多辺形挿入管とを互いに組み合わせた状態を示した斜視図である。
【図５７】この考案の係合ブロック、Ｕ型管体、多辺形挿入管とを互いに組み合わせた状態を示した斜視図である。
【図５８】この考案の係合ブロック、Ｕ型管体、多辺形挿入管とを互いに組み合わせた状態を示した斜視図である。
【図５９】この考案の係合ブロック、Ｕ型管体、多辺形挿入管とを互いに組み合わせた状態を示した斜視図である。
【図６０】この考案の緩衝材の係合ブロックをそれぞれ設置方向からＵ型管体に設けてＨ型挿入管を設置方向から設けて互いに接続する状態を示した説明図である。
【図６１】この考案の緩衝材の係合ブロックをそれぞれ設置方向からＵ型管体に設けてＨ型挿入管を設置方向から設けて互いに接続する状態を示した説明図である。
【図６２】この考案の係合ブロック、Ｕ型管体、Ｈ型挿入管とを互いに組み合わせた状態を示した斜視図である。
【図６３】この考案の係合ブロック、Ｕ型管体、Ｈ型挿入管とを互いに組み合わせた状態を示した斜視図である。
【図６４】この考案の係合ブロック、Ｕ型管体、Ｈ型挿入管とを互いに組み合わせた状態を示した斜視図である。
【図６５】この考案の係合ブロック、Ｕ型管体、Ｈ型挿入管とを互いに組み合わせた状態を示した斜視図である。
【図６６】この考案の係合ブロック、Ｕ型管体、Ｈ型挿入管とを互いに組み合わせた状態を示した斜視図である。
【図６７】この考案の係合ブロック、Ｕ型管体、Ｈ型挿入管とを互いに組み合わせた状態を示した斜視図である。
【図６８】この考案の係合ブロック、Ｕ型管体、Ｈ型挿入管とを互いに組み合わせた状態を示した斜視図である。
【図６９】この考案の係合ブロック、Ｕ型管体、Ｈ型挿入管とを互いに組み合わせた状態を示した斜視図である。
【図７０】この考案の緩衝材の係合ブロックをそれぞれ設置方向からＵ型管体に設けてＨ型挿入管を設置方向から設けて互いに接続する状態を示した説明図である。
【図７１】この考案の緩衝材の係合ブロックをそれぞれ設置方向からＵ型管体に設けてＨ型挿入管を設置方向から設けて互いに接続する状態を示した説明図である。
【図７２】この考案の係合ブロック、Ｕ型管体、Ｈ型挿入管とを互いに組み合わせた状態を示した斜視図である。
【図７３】この考案の係合ブロック、Ｕ型管体、Ｈ型挿入管とを互いに組み合わせた状態を示した斜視図である。
【図７４】この考案の係合ブロック、Ｕ型管体、Ｈ型挿入管とを互いに組み合わせた状態を示した斜視図である。
【図７５】この考案の係合ブロック、Ｕ型管体、Ｈ型挿入管とを互いに組み合わせた状態を示した斜視図である。
【図７６】この考案の係合ブロック、Ｕ型管体、Ｈ型挿入管とを互いに組み合わせた状態を示した斜視図である。
【図７７】この考案の係合ブロック、Ｕ型管体、Ｈ型挿入管とを互いに組み合わせた状態を示した斜視図である。
【図７８】この考案の係合ブロック、Ｕ型管体、Ｈ型挿入管とを互いに組み合わせた状態を示した斜視図である。
【図７９】この考案の係合ブロック、Ｕ型管体、Ｈ型挿入管とを互いに組み合わせた状態を示した斜視図である。
【図８０】この考案のＵ型管体とＨ型挿入管とを互いに組み合わせた状態を示した斜視図である。
【図８１】この考案のＵ型管体と多辺形挿入管とを互いに組み合わせた状態を示した斜視図である。
【図８２】この考案のＵ型管体とＸ型挿入管とを互いに組み合わせた状態を示した斜視図である。
【図８３】この考案のＵ型管体とＨ型挿入管とを互いに組み合わせた状態を示した斜視図である。
【図８４】この考案のＵ型管体と多辺形挿入管とを互いに組み合わせた状態を示した斜視図である。
【図８５】この考案のＵ型管体とＸ型挿入管とを互いに組み合わせた状態を示した斜視図である。
【図８６】（ａ）は、この考案の緩衝材の構造体を前方から見た状態を示した平面図であり、（Ｂ）は、この考案の緩衝材の構造体を後方から見た状態を示した平面図である。
【図８７】この考案の緩衝材の構造体を底面から見た状態を示した平面図である。
【図８８】この考案の緩衝材の構造体を上方から見た示した平面図である。
【図８９】この考案の緩衝材の構造体を示した側面図である。
【図９０】この考案の緩衝材の構造体を示した分解図である。
【図９１】この考案の緩衝材の構造体を示した斜視図である。
【図９２】この考案の緩衝材の構造体を示した他の斜視図である。
【符号の説明】
【０１４５】
１’〜３２’Ｕ型管体
１、３、５、７、９、１１、１３、１５、１７、１９、２１、２３、２５、２７、２９、３１、３３、３５、３７、３９、４１、４３、４５、４７、４９、５１、５３、５５、５７、５９、６１、６３     外壁
２、４、６、８、１０、１２、１４、１６、１８、２０、２２、２４、２６、２８、３０、３２、３４、３６、３８、４０、４２、４４、４６、４８、５０、５２、５４、５６、５８、６０、６２、６４          内壁
１１、１２、２１、３１、３２、４１、５１、５２、５３、６１、７１、７２、７３、８１、９１、９２、１０１、１１１、１１２、１２１、１３１、１３２、１３３、１４１、１５１、１５２、１５３、１６１、１７１、１７２、１８１、１９１、１９２、２０１、２１１、２１２、２１３、２２１、２３１   凹溝
２３２、２３３、２４１、２５１、２５２、２６１、２７１、２７２、２８１、２９１、２９２、２９３、３０１、３１１、３１２、３１３、３２１、３３１、３３２、３５１、３５２、３７１、３７２、３７３、３９１、３９２、３９３、４０１、４１１、４１２、４１３、４３１、４３２、４５１、４５２、４５３、４７１、４７２、４７３、４９１、４９２、５１１、５１２、５３１、５３２、５３３、５５１、５５２、５５３、５７１、５７２、５９１、５９２、６１１、６１２、６１３、６３１、６３２、６３３   凹溝
Ａ、Ｂ、Ｃ、Ｃ１、Ｄ、Ｅ、Ｅ１、Ｆ、Ｇ、Ｈ    係合ブロック
Ａ１、Ａ１３、Ｅ１３、Ｇ２    長方形体
Ａ１１ 孔
Ａ１２、Ｆ１、Ｈ２   中空体
Ｃ１１、Ｄ’１、Ｅ１１    Ｕ型体
Ｃ１２、Ｅ１２   凹溝
Ｃ１３、Ｅ１３   長方形体
Ｄ’２   方形体
Ｄ１、Ｄ２、Ｄ３、Ｄ４、Ｄ５、Ｄ６、Ｌ１〜Ｌ４８  設置方向
Ｅ１         厚面
Ｅ２   薄面
Ｇ１   中空体
Ｈ１   孔
ａ、ａ１   Ｘ型挿入管
ａ１１、ａ１２、ａ１３、ａ１４   凸体
３４１、３６１、３８１   弧状凸体
ａ１５     中空体
ｂ、ｂ’、ｂ１、ｂ１’   多辺形挿入管
ｂ１、ｂ２、ｂ３、ｂ４、ｂ１１、ｂ１２、ｂ１３、ｂ１４   凸体
ｂ５、ｂ６、ｂ１５、ｂ１６   弧状凹溝
ｂ７、ｂ１７   嵌合溝
ｂ８、ｂ１８   歯型面
ｃ１、ｃ２、ｃ３、ｃ４、ｃ５、ｃ６、ｃ７、ｃ８、ｃ９、ｃ１０、ｃ１１、ｃ１２   Ｈ型挿入管
ｃ１１、ｃ２１、ｃ３１、ｃ４１、ｃ５１、ｃ６１、ｃ７１、ｃ８１、ｃ９１、ｃ１０１、ｃ１１１、ｃ１２１   凹溝
ｃ１２、ｃ１３、ｃ１４、ｃ２２、ｃ２３、ｃ３２、ｃ３３、ｃ３４、ｃ４２、ｃ４３、ｃ５３、ｃ５４、ｃ６３、ｃ７３、ｃ７４、ｃ８３、ｃ９２、ｃ９３、ｃ１０２、ｃ１１２、ｃ１１３、ｃ１２２    弧状凹溝
ｃ５２、ｃ６２、ｃ７２、ｃ８２   長方形凹溝
ｄ     構造体
ｄ１   外壁
ｄ１１、ｄ１２、ｄ１３   凹溝
ｄ２   内壁
ｅ、ｆ 係合板
ｆ１   空間
ｇ     斜体接続空間
５０１、５２１、５４１、５６１、６２１、６４１   階段状部
５８１、６０１   斜体
４２１、４４１、４６１、４８１   凸体
【図１】
0003163659.tif 000003
【図２】
0003163659.tif 000004
【図３】
0003163659.tif 000005
【図４】
0003163659.tif 000006
【図５】
0003163659.tif 000007
【図６】
0003163659.tif 000008
【図７】
0003163659.tif 000009
【図８】
0003163659.tif 000010
【図９】
0003163659.tif 000011
【図１０】
0003163659.tif 000012
【図１１】
0003163659.tif 000013
【図１２】
0003163659.tif 000014
【図１３】
0003163659.tif 000015
【図１４】
0003163659.tif 000016
【図１５】
0003163659.tif 000017
【図１６】
0003163659.tif 000018
【図１７】
0003163659.tif 000019
【図１８】
0003163659.tif 000020
【図１９】
0003163659.tif 000021
【図２０】
0003163659.tif 000022
【図２１】
0003163659.tif 000023
【図２２】
0003163659.tif 000024
【図２３】
0003163659.tif 000025
【図２４】
0003163659.tif 000026
【図２５】
0003163659.tif 000027
【図２６】
0003163659.tif 000028
【図２７】
0003163659.tif 000029
【図２８】
0003163659.tif 000030
【図２９】
0003163659.tif 000031
【図３０】
0003163659.tif 000032
【図３１】
0003163659.tif 000033
【図３２】
0003163659.tif 000034
【図３３】
0003163659.tif 000035
【図３４】
0003163659.tif 000036
【図３５】
0003163659.tif 000037
【図３６】
0003163659.tif 000038
【図３７】
0003163659.tif 000039
【図３８】
0003163659.tif 000040
【図３９】
0003163659.tif 000041
【図４０】
0003163659.tif 000042
【図４１】
0003163659.tif 000043
【図４２】
0003163659.tif 000044
【図４３】
0003163659.tif 000045
【図４４】
0003163659.tif 000046
【図４５】
0003163659.tif 000047
【図４６】
0003163659.tif 000048
【図４７】
0003163659.tif 000049
【図４８】
0003163659.tif 000050
【図４９】
0003163659.tif 000051
【図５０】
0003163659.tif 000052
【図５１】
0003163659.tif 000053
【図５２】
0003163659.tif 000054
【図５３】
0003163659.tif 000055
【図５４】
0003163659.tif 000056
【図５５】
0003163659.tif 000057
【図５６】
0003163659.tif 000058
【図５７】
0003163659.tif 000059
【図５８】
0003163659.tif 000060
【図５９】
0003163659.tif 000061
【図６０】
0003163659.tif 000062
【図６１】
0003163659.tif 000063
【図６２】
0003163659.tif 000064
【図６３】
0003163659.tif 000065
【図６４】
0003163659.tif 000066
【図６５】
0003163659.tif 000067
【図６６】
0003163659.tif 000068
【図６７】
0003163659.tif 000069
【図６８】
0003163659.tif 000070
【図６９】
0003163659.tif 000071
【図７０】
0003163659.tif 000072
【図７１】
0003163659.tif 000073
【図７２】
0003163659.tif 000074
【図７３】
0003163659.tif 000075
【図７４】
0003163659.tif 000076
【図７５】
0003163659.tif 000077
【図７６】
0003163659.tif 000078
【図７７】
0003163659.tif 000079
【図７８】
0003163659.tif 000080
【図７９】
0003163659.tif 000081
【図８０】
0003163659.tif 000082
【図８１】
0003163659.tif 000083
【図８２】
0003163659.tif 000084
【図８３】
0003163659.tif 000085
【図８４】
0003163659.tif 000086
【図８５】
0003163659.tif 000087
【図８６】
0003163659.tif 000088
【図８７】
0003163659.tif 000089
【図８８】
0003163659.tif 000090
【図８９】
0003163659.tif 000091
【図９０】
0003163659.tif 000092
【図９１】
0003163659.tif 000093
【図９２】
0003163659.tif 000094
【手続補正書】
【提出日】平成22年8月23日(2010.8.23)
【手続補正１】
【補正対象書類名】実用新案登録請求の範囲
【補正対象項目名】全文
【補正方法】変更
【補正の内容】
【実用新案登録請求の範囲】
【請求項１】
Ｕ形管体と、係合ブロックと、挿入管とを含んでなり、
該Ｕ形管体が外壁に形成された一以上の凹溝と、内壁の底面に設けられた一以上の弧状の凹溝、Ｖ型凹溝、長方形の凹溝、梯子状の凹溝、弧状の凸体、梯子状の凸体、階段状部、斜体とを含んでなり、
外壁と内壁とがＵ型管体で連接され、挿入管がＸ型挿入管と多辺形挿入管と、Ｈ型挿入管とに分けられ、
上述のＵ型管体内のＵ型溝の下方に挿入する１本以上の各種形態の挿入管と、両端に設ける各種形態の係合ブロックを設けて、接続空間を形成することを特徴とする緩衝材。
【請求項２】
前記Ｕ型管体が内壁と外壁との間にＸ型挿入管、多辺形挿入管、Ｈ型挿入管を設けてなることを特徴とする請求項１に記載の緩衝材。
【請求項３】
前記係合ブロックが、正方向、或いは反対方向のどちらかからＵ型管体の両端に設けられ接続空間を形成し、Ｕ型管体の底面と外壁の底面との間には各種形態の挿入管が設けられることを特徴とする請求項１に記載の緩衝材。
【請求項４】
斜体を具えたＵ型管と、係合板とを含んでなり、外壁上に設けられた凹溝、内壁に形成された斜体を具えたＵ型溝とを含んでなり、Ｕ型溝の一端には係合板が設けられ、他端の外観が同じで係合板を設けてその左側に空間となり、係合板と、係合板との間には斜体接続空間が形成され、別の同じ包装用の緩衝材とが電子製品を支えることを特徴とする請求項１に記載の緩衝材。